(57)【要約】      （修正有）【課題】移動式のマッサージ或いは定点式のマッサージを達成することができる。【解決手段】マッサージ装置１はベース台１０、駆動装置２０、ドライビング部材３０を有し、駆動装置はベース台１０上に結合し、ベース台１０片側には連動部材を設置し、駆動装置２０は駆動部材２２を通して回転軸２２０を駆動し、マッサージパーツ２３を連動し、回転軸２２０一端にはワンウェイベアリングと第一傘歯車２５を設置し、ワンウェイベアリングは第一傘歯車２５の回転を制御し、連動部材は２個の定位ブロック３１の間にウォーム軸３２を設置して構成され、ウォーム軸３２上には第二傘歯車３３と可動部材３４を設置し、第一傘歯車２５は第二傘歯車３３と相互に噛み合い、第一傘歯車２５は回転時に第二傘歯車３３により連動部材の他のパーツを連動し、駆動装置２０全体はベース台１０上でスライド移動を行う。【選択図】図３
2017148510.tif 000002
【特許請求の範囲】
【請求項１】
ベース台、駆動装置、及び、ドライビング部材を有し、
前記ベース台の上面には、第一定位板と第二定位板を設置し、
前記駆動装置は、メイン台体を有し、前記メイン台体の背部には係合溝を設置し、上部に駆動部材を設置し、
前記駆動部材に回転軸を貫通して設置し、前記回転軸の左右両端は、中心から偏った位置にマッサージパーツを通して設置し、前記回転軸の一端が前記マッサージパーツに挿入され、ワンウェイベアリングと第一傘歯車を通して設置し、前記マッサージパーツの上下両端には、それぞれ、マッサージ体を設置し、
前記ドライビング部材は前記ベース台の片側に固定され、連動部材を有し、該連動部材は、２個の定位ブロックの間に、ウォーム軸を設置して構成され、前記ウォーム軸表面には、十字ネジ山を形成し、前記ウォーム軸上には、第二傘歯車と可動部材を設置し、前記可動部材の内部には、前記連動部材を嵌設し、前記第二傘歯車と可動部材との間には、収容設置凹溝を設け、固定台と上蓋を通して、前記収容設置凹溝に結合し、前記固定台を前記メイン台体上に固定し、前記第一傘歯車は、第二傘歯車と相互に噛み合い、連動関係を形成し、前記連動部材は、十字ネジ山の位置に配置されることを特徴とするマッサージ装置。
【請求項２】
前記メイン台体の係合溝は、前記第一定位板と前記メイン台体の側辺に係合して定位され、前記第二定位板に定位され、前記駆動装置を駆動して、前記ベース台上で上下スライド移動を行わせることを特徴とする請求項１に記載のマッサージ装置。
【請求項３】
前記駆動装置の駆動部材の上方には、バッフルを設置し、前記バッフルの上下端は、ベース台上の凹部に位置することを特徴とする請求項１に記載のマッサージ装置。
【請求項４】
前記可動部材の内部の連動部材と前記ウォーム軸上の十字ネジ山とは相互に噛み合い、前記第二傘歯車は回転と同時に可動部材の回転を連動できる他に、前記連動部材を通して、十字ネジ山上で導引前進し、前記連動部材が十字ネジ山の最頂端或いは最底端まで進むと、頂端或いは底端の十字ネジ山を通して周り戻り、下方へ或いは上方へ移動を継続することを特徴とする請求項１に記載のマッサージ装置。
【請求項５】
前記ワンウェイベアリングは、正方向に連動でき、逆方向には空転し、
前記駆動装置は正方向に回転し、前記メイン台体は、前記ウォーム軸に沿って移動し、
逆方向に回転すると、前記ワンウェイベアリングの後方に嵌めて接続される回転軸、マッサージ体の連動関係を中止することを特徴とする請求項１に記載のマッサージ装置。
【請求項６】
上面が内凹状部を呈する固定台を通して、前記メイン台体の上に設置され、前記内凹状部を前記収容設置凹溝に嵌め入れ、前記上蓋を前記収容設置凹溝の上端に置き、前記固定台の上に固定することを特徴とする請求項１に記載のマッサージ装置。
【発明の詳細な説明】
【技術分野】
【０００１】
本発明はマッサージ装置に関し、特に、駆動装置の定点マッサージと往復移動マッサージの指圧効果を利用し、同時に身体の圧力を対応させ、スイングの角度を調整し、すべてのマッサージローラーのマッサージ力を相同とし、より快適な指圧マッサージ効果を達成できるマッサージ装置に関する。
【背景技術】
【０００２】
生活の質に対する人々のこだわりが高まるにつれて、基本的な生活を維持するための費用は、ますます増えており、そのために働く時間も長くなっている。
【０００３】
仕事時間の延長は現代人のライフスタイルを変化させており、長時間労働による心理的なストレスが生まれ、毎日繰り返される重複的な動作による労働傷害も発生している。
【０００４】
そのため、各種方法による適時のストレス発散は、現代社会における重要な課題となっている。
【０００５】
中でも、マッサージ器材を用いて、ストレスを解きほぐそうという方法は、現在広く行われている方式の一つである。
【０００６】
それは、マッサージにより筋肉をほぐすことで、身心の負担を軽減しようというものである。
【０００７】
従来のマッサージ装置には、マッサージチェア、肩首マッサージ器、手腕、或いは腿部マッサージ機等がある。
【０００８】
それらによるマッサージ行為は、非常に多様であるが、中でもマッサージチェアは最も普及し、多くはバックレスト上にマッサージ機構を設置する。
【０００９】
マッサージ機構は、駆動モーターにより駆動される。
【００１０】
これにより、マッサージ機構は、定点マッサージ動作を生じることができる。
【００１１】
けれども、使用者の体つきは一人一人異なり、マッサージしたいと思う部位もそれぞれ異なる。
【００１２】
すなわち、移動してマッサージする位置を使用者に合わせられない点は大きな問題である。
【００１３】
上記問題に対して、定点局部マッサージが可能なほか、使用者の必要に応じて、マッサージ機構を自ら調整可能で、これにより上下往復マッサージを可能とし、様々な体つきの使用者に対応させられるマッサージ機が開発されている。
【００１４】
、同マッサージ機は、ある部位のマッサージに限定されるものではない。
【００１５】
しかし、現在、往復動作と定点指圧揉みほぐしが可能なマッサージ機構の連動は、通常はモーターにより駆動される。
【００１６】
これにより、マッサージ機構の移動、或いは定点位置への移動を随時選択できる。
【００１７】
、マッサージ機構の回転には、さらに別のモーターの駆動が必要で、そうでなければ、駆動装置の停止後に、独立して各種のマッサージの動作を行うことはできない。
【００１８】
すなわち、同構造の設計は、２個のモーターを必要とするため、コストが高い。
【発明の開示】
【発明が解決しようとする課題】
【００１９】
前記先行技術は、２個のモーターを必要とするため、コストが高いという欠点がある。
【００２０】
従来のマッサージ装置の欠点は、使用者の体つきに効果的に対応できないため、最適な指圧揉みほぐし位置を達成できないというものである。改良後のマッサージ装置が往復動作と定点指圧揉みほぐしの効果を備えてはいるが、２個のモーターを利用しなければマッサージ機構の移動或いは定点位置へ移動後に装置の駆動を停止し独立して各種方式のマッサージ運動を随時に選択的に行うことができない。そのため、２個のモーターを使用しなければならないことでコストが高くなるという欠点を解決できるマッサージ装置が要望されている。
【課題を解決するための手段】
【００２１】
本発明のマッサージ装置は、ベース台、駆動装置、及び、ドライビング部材を有し、前記ベース台の上面には、第一定位板と第二定位板を設置し、前記駆動装置は、メイン台体を有し、前記メイン台体の背部には係合溝を設置し、上部に駆動部材を設置し、前記駆動部材に回転軸を貫通して設置し、前記回転軸の左右両端は、中心から偏った位置にマッサージパーツを通して設置し、前記回転軸の一端が前記マッサージパーツに挿入され、ワンウェイベアリングと第一傘歯車を通して設置し、前記マッサージパーツの上下両端には、それぞれ、マッサージ体を設置し、前記ドライビング部材は前記ベース台の片側に固定され、連動部材を有し、該連動部材は、２個の定位ブロックの間に、ウォーム軸を設置して構成され、前記ウォーム軸表面には、十字ネジ山を形成し、前記ウォーム軸上には、第二傘歯車と可動部材を設置し、前記可動部材の内部には、前記連動部材を嵌設し、前記第二傘歯車と可動部材との間には、収容設置凹溝を設け、固定台と上蓋を通して、前記収容設置凹溝に結合し、前記固定台を前記メイン台体上に固定し、前記第一傘歯車は、第二傘歯車と相互に噛み合い、連動関係を形成し、前記連動部材は、十字ネジ山の位置に配置されることを特徴とするである。
【００２２】
前記メイン台体の係合溝は、前記第一定位板と前記メイン台体の側辺に係合して定位され、前記第二定位板に定位され、前記駆動装置を駆動して、前記ベース台上で上下スライド移動を行わせることを特徴とすることが好ましい。
【００２３】
前記駆動装置の駆動部材の上方には、バッフルを設置し、前記バッフルの上下端は、ベース台上の凹部に位置することを特徴とすることが好ましい。
【００２４】
前記可動部材の内部の連動部材と前記ウォーム軸上の十字ネジ山とは相互に噛み合い、前記第二傘歯車は回転と同時に可動部材の回転を連動できる他に、前記連動部材を通して、十字ネジ山上で導引前進し、前記連動部材が十字ネジ山の最頂端或いは最底端まで進むと、頂端或いは底端の十字ネジ山を通して周り戻り、下方へ或いは上方へ移動を継続することを特徴とすることが好ましい。
【００２５】
前記ワンウェイベアリングは、正方向に連動でき、逆方向には空転し、前記駆動装置は正方向に回転し、前記メイン台体は、前記ウォーム軸に沿って移動し、逆方向に回転すると、前記ワンウェイベアリングの後方に嵌めて接続される回転軸、マッサージ体の連動関係を中止することを特徴とすることが好ましい。
【００２６】
上面が内凹状部を呈する固定台を通して、前記メイン台体の上に設置され、前記内凹状部を前記収容設置凹溝に嵌め入れ、前記上蓋を前記収容設置凹溝の上端に置き、前記固定台の上に固定することを特徴とすることが好ましい。
【００２７】
回転軸が正回転を行うと、該ワンウェイベアリングはこれに従い正回転を行い、第一傘歯車の回転を連動でき、該第一傘歯車は第二傘歯車を連動し、該第二傘歯車は回転と同時に、該可動部材の回転を連動でき、該可動部材内部の連動部材は、該十字ネジ山に固定されるため、該可動部材の回転と同時に、該連動部材は十字ネジ山に沿って移動し、こうして該駆動装置全体を連動して該ベース台で上下移動させる。
【００２８】
該回転軸が逆回転を行うと、ワンウェイベアリングは動作を停止し、該駆動装置は一定点に止まり、これにより該マッサージパーツはもとの場所で指圧揉みほぐしの動作を行う。
【発明の効果】
【００２９】
本発明によるマッサージ装置は、駆動装置を通して回転軸を駆動し、マッサージパーツは独立してマッサージ運動を生じ、回転軸を通してワンウェイベアリングを接続し、定点でマッサージができる。第一傘歯車と第二傘歯車連動の動力の同時使用を利用することで、別に独立した動力を使用しなくとも、駆動装置はベース台上で上下スライド移動ができ、使用者の体つきに対応して最適な指圧揉みほぐし位置を達成でき、コストを低下させることができる。
【図面の簡単な説明】
【００３０】
【図１】本発明実施形態のマッサージ装置をマッサージチェア上に取り付けた様子を示す模式図である。
【図２】本発明実施形態のマッサージ装置の立体組合せ図である。
【図３】本発明実施形態のマッサージ装置の立体分解図である。
【図４】本発明実施形態のマッサージ装置の部分立体分解図である。
【図５】本発明実施形態のマッサージ装置の上視図である。
【図６】本発明実施形態のマッサージ装置の駆動装置がベース台上でスライド移動を行うと同時に指圧揉みほぐしを行う様子を示す模式図である。
【図７】本発明実施形態のマッサージ装置の駆動装置が定点に留まり指圧揉みほぐしを行う様子を示す模式図である。
【図８】本発明実施形態のマッサージ装置の連動部材が十字ネジ山に沿って上方へ移動する様子を示す模式図である。
【図９】本発明実施形態のマッサージ装置の連動部材が方向を変え十字ネジ山に沿って下方へ移動する様子を示す模式図である。
【発明を実施するための形態】
【００３１】
以下に本発明の一実施形態のマッサージ装置１について、図面を参照して説明する。
【００３２】
図１〜図４に示す通り、マッサージ装置１は、ベース台１０、駆動装置２０、及び、ドライビング部材３０を有する。マッサージ装置１は、バックレスト１００の内部に配置される。
【００３３】
ベース台１０の上面には、上下方向に延び出す第一定位板１１と第二定位板１２を設置する。図４に示す通り、凹部１３がベース台１０の上下の端部１４に設けてある。凹部１３は、その一対が対向するように設置される。
【００３４】
駆動装置２０は、メイン台体２１、駆動部材２２、マッサージパーツ２３、ワンウェイベアリング２４、及び第一傘歯車２５を有する。
【００３５】
メイン台体２１の背部には、図３、図４に示す係合溝２１０を設置し、上部には、駆動部材２２を設置する。
【００３６】
図３に示す通り、メイン台体２１は、その背部の係合溝２１０を通して、第一定位板１１に噛み合って定位される。メイン台体２１の側辺は第二定位板１２に当接される。
【００３７】
これにより、駆動装置２０全体は、図６の矢印に示す通り、ベース台１０上で上下にスライド移動を行う。
【００３８】
駆動部材２２は、回転軸２２０を貫通して設置される。
【００３９】
マッサージパーツ２３は、左右一対が設けられる。マッサージパーツ２３の上下の両端に、一対のマッサージ体２３１を備えている。
【００４０】
回転軸２２０の左右両端は、マッサージパーツ２３の枢孔２３０に、中心から偏った構造で、挿入される。枢孔２３０はマッサージパーツ２３の中心から偏位した位置に設けてある。
【００４１】
これにより、マッサージパーツ２３は、枢孔２３０を軸心とし、適当に偏って回転する。
【００４２】
回転軸２２０の一端は、マッサージパーツ２３に挿入された後、ワンウェイベアリング２４と第一傘歯車２５を通して固定される。
【００４３】
ワンウェイベアリング（単方向軸承）２４は、内リング２４０と外リング２４１の二重構造を有し、図４に示す通り、内リング２４０が外リング２４１内に収容されて設置される。
【００４４】
内リング２４０は、ねじ２４２により、回転軸２２０上に螺合して固定される。
【００４５】
内リング２４０は、一方向にのみ、外リング２４１に対して回転できる。
【００４６】
第一傘歯車２５の内部には、収容設置空間２５０を形成する。
【００４７】
これにより、外リング２４１は、収容設置空間２５０内に係合して定位され、第一傘歯車２５は、外リング２４１に従い一緒に回転できる構造である。
【００４８】
ドライビング部材３０は、図１〜図４に示す通り、定位ブロック３１、ウォーム軸３２、第二傘歯車３３、可動部材３４、収容設置凹溝３５、及び、固定台３６を備えている。
【００４９】
ドライビング部材３０は、２個の定位ブロック３１の間に、ウォーム軸３２を設置して構成されるものである。
【００５０】
ウォーム軸３２の表面には、十字ネジ山３２０を形成し、ウォーム軸３２には、第二傘歯車３３と可動部材３４を設置する。
【００５１】
ドライビング部材３０は、メイン台体２１の片側端に設けられ、第二傘歯車３３と可動部材３４との間には、収容設置凹溝３５を備えている。
【００５２】
ドライビング部材３０は、上面が内凹状部を有する固定台３６を通して、メイン台体２１上に設置され、この内凹状部を収容設置凹溝３５に嵌め入れた後、上蓋３６０を収容設置凹溝３５の上端に置き、ねじ３６３により上蓋３６０を固定台３６に固定することにより、収容設置凹溝３５を固定台３６に固定する。
【００５３】
第一傘歯車２５は、第二傘歯車３３と相互に噛み合い、連動関係を形成する。可動部材３４内部の連動部材３４０は、十字ネジ山３２０に配置される。
【００５４】
可動部材３４の内部には、連動部材３４０を嵌設し、連動部材３４０の背部には、バネ３４１を設置する。
【００５５】
バネ３４１には、定位片３４２を設置し、ネジ部材３４３により、定位片３４２を可動部材３４上に固定する。
【００５６】
可動部材３４は、第二傘歯車３３により牽引される。
【００５７】
駆動装置２０の駆動部材２２上方には、バッフル４０を設置し、バッフル４０の上下端は、ベース台１０上の凹部１３に嵌合される。
【００５８】
マッサージ装置１の動作例を図５に示す。駆動部材２２は、回転軸２２０を駆動し、正回転或いは逆回転を構成する。
【００５９】
回転軸２２０は、マッサージパーツ２３と固定連接を形成し、回転軸２２０とマッサージパーツ２３の枢孔２３０とは、軸方向の偏心の組み合わせを構成する。
【００６０】
これにより、マッサージパーツ２３は、枢孔２３０の周りに、回転軸２２０により、偏心回転を行う。
【００６１】
正回転の動作を図６に示す。図６で右側から回転軸２２０を見ると、回転軸２２０は反時計方向（図８、図９参照）に回転する。回転軸２２０が正回転を行う時、ワンウェイベアリング２４と結合する第一傘歯車２５の回転を直接駆動でき、これと相互に噛み合うもう一つの第二傘歯車３３を連動できる。
【００６２】
第二傘歯車３３の回転は、可動部材３４を牽引して、それに従い回転させる。
【００６３】
可動部材３４の内部の連動部材３４０とウォーム軸３２上の十字ネジ山３２０とは相互に噛み合う。このため、第二傘歯車３３は、回転と同時に、可動部材３４の回転を連動できる他、連動部材３４０を通して、十字ネジ山３２０上で導引され前進する。
【００６４】
連動部材３４０が十字ネジ山３２０の最頂端或いは最底端まで進むと、頂端或いは底端の十字ネジ山３２０を通して周り戻り、継続して、下方へ或いは上方へ移動する。
【００６５】
第二傘歯車３３と可動部材３４の組合せ位置に、固定台３６と上蓋３６０を結合する。
【００６６】
固定台３６は、メイン台体２１上に固定され、第二傘歯車３３と可動部材３４とが回転すると同時に、固定台３６の上下移動に連動できる。
【００６７】
メイン台体２１が固定台３６に従い一定点まで連動されると、駆動部材２２の回転方向を切り替え、回転軸２２０は逆方向に回転する。逆回転の作動を図７に示す。図７で右側から回転軸２２０を見ると、回転軸２２０は時計方向に回転する。この状態では定点でのマッサージを行い、ドライビング部材３０は上下方向に移動しない。
【００６８】
ワンウェイベアリング２４と結合する第一傘歯車２５は、内部のワンウェイベアリング２４が空転するため、第一傘歯車２５の連動を停止する。
【００６９】
そのため、回転軸２２０が逆方向に回転すると、上方に設置するマッサージパーツ２３の動作を継続して連動するが、回転軸２２０は第一傘歯車２５を連動しない。
【００７０】
第一傘歯車２５が連動されなければ、後方に順番に設置される第二傘歯車３３、可動部材３４、固定台３６は、自然に運転を停止する。
【００７１】
こうして、駆動部材２２は、回転軸２２０を駆動し、正逆回転を行い、メイン台体２１を牽引し、駆動装置２０は、ドライビング部材３０のウォーム軸３２上で往復移動を行い、図８では、矢印に示す通り、X方向に移動し、図９では、矢印に示す通り、Y方向に移動する。或いは、ドライビング部材３０のウォーム軸３２上で往復移動を停止する（図７参照）。これにより、移動式マッサージ、又は定点マッサージを達成できる。
【００７２】
上記に説明した通り、本発明実施形態のマッサージ装置１は以下の効果を備える。
【００７３】
ワンウェイベアリング２４は一方向に、第一傘歯車２５に連動する。第一傘歯車２５と第二傘歯車３３を駆動し、回転状態を生じると、第二傘歯車３３の後に順番に設置される可動部材３４、固定台３６、上蓋３６０は連動される。しかし、逆方向には、第一傘歯車２５に対して空転する。この空転を形成する際には、ワンウェイベアリング２４の後方の各パーツである第二傘歯車３３と可動部材３４の連動関係を中止する。
【００７４】
固定台３６はメイン台体２１上に設置され、駆動装置２０全体は、メイン台体２１に固定されており、第二傘歯車３３、収容設置凹溝３５、固定台３６にメイン台体２１が牽引され移動することから、これに伴い一緒に移動する。マッサージ体２３１は、マッサージパーツ２３のスイング（揺動）に従い、相同の弧度のスイングを行い、指圧揉みほぐしの効果を生じる。このようにして、駆動装置２０を使用し、移動式のマッサージ或いは定点式のマッサージを達成することができる。
【００７５】
上記の通り、本発明は、駆動部材２２のみを利用する方式であるが、従来の構造と相同の効果を備えるため、コストを削減できるばかりか、産業上の競争力をも備える。
【００７６】
本発明の実施形態は、上記の実施形態に何ら限定されるものではなく、本発明の技術的思想を逸脱しない範囲において、改変等を加えることができるものであり、それらの改変、均等物等も本発明の技術的範囲に含まれ、前記技術的範囲に属する限り種々の形態を採り得ることは無論である。
【符号の説明】
【００７７】
１０・・・ベース台  １１…第一定位板  １２…第二定位板  １３…凹部  ２０…駆動装置  ２１…メイン台体  ２１０…係合溝  ２２…駆動部材  ２２０…回転軸  ２３…マッサージパーツ  ２３０…枢孔  ２３１…マッサージ体  ２４…ワンウェイベアリング  ２４１…外リング  ２５…第一傘歯車  ２５０…収容設置空間  ３０…ドライビング部材  ３１…定位ブロック  ３２…ウォーム軸  ３２０…十字ネジ山  ３３…第二傘歯車  ３４…可動部材  ３４０…連動部材  ３４１…バネ  ３４２…定位片  ３４３…ネジ部材  ３５…収容設置凹溝  ３６…固定台  ３６０…上蓋  ４０…バッフル
【図１】
2017148510.tif 000003
【図２】
2017148510.tif 000004
【図３】
2017148510.tif 000005
【図４】
2017148510.tif 000006
【図５】
2017148510.tif 000007
【図６】
2017148510.tif 000008
【図７】
2017148510.tif 000009
【図８】
2017148510.tif 000010
【図９】
2017148510.tif 000011